(57)【要約】  【課題】  画像の種類別に画素値を累計し、画像の種類別にトナー消費量を算出することができる画像形成装置を提供する。  【解決手段】  感光体に画像を形成する画像形成装置において、感光体に形成する画像は種類別に分類されており、画素値の種類別の累計値を記憶する記憶部と、感光体に形成する画像の各画素の画素値を、記憶部に記憶されており前記画像の種類に対応する累計値に加算する加算手段と、前記記憶部に記憶されている累計値に基づいてトナー消費量を算出する算出手段とを備える。【選択図】      図１
2006337586.tif 000002
【特許請求の範囲】
【請求項１】
種類の異なる画像を感光体に形成する画像形成装置において、
感光体に形成する画像の各画素の画素値を種類別に累計する累計部を備えることを特徴とする画像形成装置。
【請求項２】
前記累計部は、
画素値の種類別の累計値を記憶する記憶部と、
感光体に形成する画像の各画素の画素値を前記画像の種類に対応する累計値に加算する加算手段と
を備えることを特徴とする請求項１記載の画像形成装置。
【請求項３】
前記記憶部に記憶されている累計値に基づいてトナー消費量を算出する算出手段を備えることを特徴とする請求項２記載の画像形成装置。
【請求項４】
感光体に形成する画像は、原稿画像と、原稿画像に合成する合成用画像と、濃度又は形成位置の調整用画像とに種類分けされていることを特徴とする請求項１乃至３の何れかひとつに記載の画像形成装置。
【請求項５】
前記加算手段は、感光体に形成する画像の各画素の画素値と前記記憶部に記憶されている累計値とを加算し、加算結果を前記累計値に上書するように構成してあることを特徴とする請求項２記載の画像形成装置。
【請求項６】
前記加算手段は、前記対応する累計値以外の累計値にゼロを加算するように構成してあることを特徴とする請求項２記載の画像形成装置。
【請求項７】
感光体に形成する画像の種類に基づいて前記記憶部に記憶されている各累計値の上書を夫々許可又は禁止する上書制御手段を備えることを特徴とする請求項５記載の画像形成装置。
【請求項８】
前記記憶部に記憶されている各累計値の合計を行う合計手段を備えることを特徴とする請求項２乃至７の何れかひとつに記載の画像形成装置。
【請求項９】
前記記憶部に記憶されている特定の累計値の合計を行う合計手段を備えることを特徴とする請求項２乃至７の何れかひとつに記載の画像形成装置。
【請求項１０】
合成用画像を原稿画像に合成する合成手段を備えており、
前記累計部は、合成用画像が原稿画像に合成される前に合成用画像及び原稿画像の夫々の各画素の画素値の累計を行うように構成してあることを特徴とする請求項４乃至９の何れかひとつに記載の画像形成装置。
【請求項１１】
前記累計部は、
原稿画像の各画素の画素値を前記原稿画像に対応する累計値に加算する第１加算手段と、
合成用画像の各画素の画素値を前記合成用画像に対応する累計値に加算する第２加算手段と
を備えることを特徴とする請求項１０記載の画像形成装置。
【請求項１２】
感光体に形成する画像は、予め記憶されている定型画像と、使用に際して入力される原稿画像とに種類分けされていることを特徴とする請求項１乃至３の何れかひとつに記載の画像形成装置。
【発明の詳細な説明】
【技術分野】
【０００１】
本発明は、感光体に形成する画像の各画素の画素値を累計し、累計結果に基づいてトナー消費量を算出する画像形成装置に関する。
【背景技術】
【０００２】
複写機又は複写機能を有する複合機の中には、トナー消費量を計測可能なものがある（例えば特許文献１，２参照）。トナー消費量を計測することにより、例えばトナー消費量に応じた課金を行ったり、トナー消費量に基づいてメンテナンスを行うことが可能になる。図１１（ａ）は感光体に形成する画像の各画素の画素値を累計するカウンタ（累計部）の例を示すブロック図である。カウンタは、累計値を記憶するフラッシュメモリなどのメモリ９０と、メモリ９０に記憶されている累計値に画像データ（画素値）を加算する加算器９４とを備える。メモリ９０に記憶されている累計値はトナー消費量にほぼ比例しており、累計値に基づいてトナー消費量を算出することが可能である。図１１（ｂ）は画像データ（画素値）と累計値との関係を示す図であり、画像データ（画素値）が加算器９４によってメモリ９０の累計値に加算されている。なお、図中の累計値のｎは整数であり、図１１（ｂ）に示す濃度累計処理の開始前の累計値を表している。
【特許文献１】特開平１１−８４９６３号公報
【特許文献２】特開２００２−２６８４８４号公報
【発明の開示】
【発明が解決しようとする課題】
【０００３】
しかし、感光体に形成される画像は、ユーザの意図した読取画像、プリント画像、ＦＡＸ受信画像などの原稿画像だけでなく、ユーザの意図しない画像の場合もある。ユーザの意図しない画像としては、例えば、感光体には形成するが、シートには転写しない濃度又は形成位置等の調整用画像、原稿画像に合成される偽造防止用画像又は印刷装置を特定するための識別用画像等の合成用画像などがある。このように、累計した画素値には、ユーザの意図しない画像の画素値も含まれている。そのため、例えば調整用画像に使用したトナーに対してもユーザがトナー料金を負担することになる。従って、補給したトナーが想定されている期間よりも短期間で全て消費された場合に、ユーザから「故障なのでは」などの問い合わせがあっても、サービスマンにはそれがユーザが実際にコピーや印刷で使用したトナー消費なのか、ユーザの意図しない画像によるトナー消費なのか、それとも何らかの異常（例えば通常より高い濃度で現像されている）によりトナー消費が増大しているのか判別できず、短期間のトナー消費の原因を究明することが困難であった。
【０００４】
本発明は斯かる事情に鑑みてなされたものであり、感光体に形成する画像の各画素の画素値を種類別に累計する累計部を備えることにより、各種類の画像の画素値の累計値を選択的に使用することが可能となる画像形成装置を提供することを目的とする。
【０００５】
また、本発明は、画素値の種類別の累計値を記憶する記憶部と、感光体に形成する画像の各画素の画素値を前記画像の種類に対応する累計値に加算する加算手段とを備えることにより、画像の種類別に画素値を累計することができる画像形成装置を提供することを他の目的とする。
【０００６】
また、本発明は、前記記憶部に記憶されている累計値に基づいてトナー消費量を算出する算出手段を備えることにより、画像の種類別にトナー消費量を算出することができる画像形成装置を提供することを他の目的とする。
【０００７】
また、本発明は、感光体に形成する画像は、原稿画像と、原稿画像に合成する合成用画像と、濃度又は形成位置の調整用画像とに種類分けされていることにより、原稿画像と合成用画像と調整用画像とに対する画素値の累計値を別々に累計することができる画像形成装置を提供することを他の目的とする。
【０００８】
また、本発明は、感光体に形成する画像の画素値の累計値と前記記憶部に記憶されている累計値とを加算し、加算結果を前記累計値に上書するように構成したことにより、画像の種類別に画素値を累計することができる画像形成装置を提供することを他の目的とする。
【０００９】
また、本発明は、前記記憶部に記憶されている前記対応する累計値以外の累計値にゼロを加算するように前記加算手段を構成したことにより、累計処理のタイミング制御などが容易になる画像形成装置を提供することを他の目的とする。
【００１０】
また、本発明は、感光体に形成する画像の種類に基づいて、前記記憶部に記憶されている各累計値の上書を許可又は禁止する上書制御手段を備えることにより、累計処理のタイミング制御などが容易になる画像形成装置を提供することを他の目的とする。
【００１１】
また、本発明は、前記記憶部に記憶されている各累計値を合計する合計手段を備えることにより、感光体に形成する画像の画素値の累計値の総和を求めることができる画像形成装置を提供することを他の目的とする。
【００１２】
また、本発明は、前記記憶部に記憶されている各累計値のうち、特定の累計値を合計する合計手段を備えることにより、所要の種類の累計値の合計を求めることができる画像形成装置を提供することを他の目的とする。
【００１３】
また、本発明は、合成用画像を原稿画像に合成する合成手段を備えており、合成用画像及び原稿画像の各画素の画素値の累計を、合成用画像が原稿画像に合成される前に行うように構成したことにより、原稿画像及び合成用画像の画素値を別々に累計することができる画像形成装置を提供することを他の目的とする。
【００１４】
また、本発明は、原稿画像の各画素の画素値を前記原稿画像に対応する累計値に加算する第１加算手段と、合成用画像の各画素の画素値を前記合成用画像に対応する累計値に加算する第２加算手段とを備えることにより、原稿画像及び合成用画像の各画素値を別々に並列的に累計することができる画像形成装置を提供することを他の目的とする。
【００１５】
また、本発明は、感光体に形成する画像は、予め記憶されている定型画像と、使用に際して入力される原稿画像とに種類分けされていることにより、原稿画像と定型画像とに対する画素値の累計値を別々に累計することができる画像形成装置を提供することを他の目的とする。
【課題を解決するための手段】
【００１６】
本発明に係る画像形成装置は、種類の異なる画像を感光体に形成する画像形成装置において、感光体に形成する画像の各画素の画素値を種類別に累計する累計部を備えることを特徴とする。
【００１７】
本発明に係る画像形成装置は、前記累計部は、画素値の種類別の累計値を記憶する記憶部と、感光体に形成する画像の各画素の画素値を前記画像の種類に対応する累計値に加算する加算手段とを備えることを特徴とする。
【００１８】
本発明に係る画像形成装置は、前記記憶部に記憶されている累計値に基づいてトナー消費量を算出する算出手段を備えることを特徴とする。
【００１９】
本発明に係る画像形成装置は、感光体に形成する画像は、原稿画像と、原稿画像に合成する合成用画像と、濃度又は形成位置の調整用画像とに種類分けされていることを特徴とする。
【００２０】
本発明に係る画像形成装置は、前記加算手段は、感光体に形成する画像の各画素の画素値と前記記憶部に記憶されている累計値とを加算し、加算結果を前記累計値に上書するように構成してあることを特徴とする。
【００２１】
本発明に係る画像形成装置は、前記加算手段は、前記対応する累計値以外の累計値にゼロを加算するように構成してあることを特徴とする。
【００２２】
本発明に係る画像形成装置は、感光体に形成する画像の種類に基づいて前記記憶部に記憶されている各累計値の上書を夫々許可又は禁止する上書制御手段を備えることを特徴とする。
【００２３】
本発明に係る画像形成装置は、前記記憶部に記憶されている各累計値の合計を行う合計手段を備えることを特徴とする。
【００２４】
本発明に係る画像形成装置は、前記記憶部に記憶されている特定の累計値の合計を行う合計手段を備えることを特徴とする。
【００２５】
本発明に係る画像形成装置は、合成用画像を原稿画像に合成する合成手段を備えており、前記累計部は、合成用画像が原稿画像に合成される前に合成用画像及び原稿画像の夫々の各画素の画素値の累計を行うように構成してあることを特徴とする。
【００２６】
本発明に係る画像形成装置は、前記累計部は、原稿画像の各画素の画素値を前記原稿画像に対応する累計値に加算する第１加算手段と、合成用画像の各画素の画素値を前記合成用画像に対応する累計値に加算する第２加算手段とを備えることを特徴とする。
【００２７】
本発明に係る画像形成装置は、感光体に形成する画像は、予め記憶されている定型画像と、使用に際して入力される原稿画像とに種類分けされていることを特徴とする。
【００２８】
本発明においては、感光体に形成する画像の各画素の画素値を累計部で用途などの種類別に累計するため、各種類の画像の累計値を管理し、選択的に使用することができる。例えばユーザが意図して形成した画像の画素値の累計値と、ユーザが意図せず形成された画像の画素値の累計値とを別々に累計し、ユーザが意図して形成した画像の画素値の累計値を使用して課金処理を行うことが可能である。
【００２９】
本発明においては、画素値の種類別の累計値を記憶部に記憶し、加算手段により、感光体に形成する画像の各画素の画素値を、前記記憶部に記憶されており前記画像の種類に対応する累計値に加算するため、画像の種類別に画素値を累計することができる。
【００３０】
本発明においては、前記記憶部に記憶されている累計値に基づいて算出手段でトナー消費量を算出するため、画像の種類別にトナー消費量を算出することができる。例えばユーザが意図して形成した画像の画素値の累計値と、ユーザが意図せず形成された画像の画素値の累計値とを別々に累計し、ユーザが意図して形成した画像の画素値の累計値に基づいてトナー消費量を算出して課金処理を行うことが可能である。
【００３１】
本発明においては、感光体に形成する画像は、原稿画像と、原稿画像に合成する合成用画像と、濃度又は形成位置の調整用画像とに種類分けされているため、原稿画像と合成用画像と調整用画像とに対する画素値の累計値を別々に累計することができる。原稿画像は、イメージスキャナなどの読取画像、又は、コンピュータから受信したプリント画像などであり、ユーザが画像形成を意図している。一方、合成用画像は、原稿が紙幣の場合などに合成する×印などの偽造防止パターン、又は、印刷を行った装置を特定するための識別パターンなどであり、ユーザが画像形成を意図していない。また、調整用画像は、濃度又は画像形成位置の調整用パターンなどであり、ユーザが画像形成を意図していない。
【００３２】
本発明においては、前記加算手段は、感光体に形成する画像の画素値の累計値と前記記憶部に記憶されており前記画像の種類に対応する累計値とを加算し、加算結果を前記累計値に上書するため、画像の種類別に画素値を累計することができる。
【００３３】
本発明においては、前記加算手段は、前記記憶部に記憶されている前記対応する累計値以外の累計値にゼロを加算するため、前記対応する累計値以外にも前記対応する累計値と同様に加算処理が行われる。各累計値に対して加算処理を行うため、処理が単純になり、累計処理のタイミング制御などが容易になる。
【００３４】
本発明においては、前記記憶部に記憶されている各累計値の上書を、上書制御手段が感光体に形成する画像の種類に基づいて許可又は禁止するため、前記対応する累計値以外にも前記対応する累計値と同様の加算処理を行っても問題は生じない。各累計値に対して加算処理を行うことにより、処理が単純になり、累計処理のタイミング制御などが容易になる。
【００３５】
本発明においては、前記記憶部に記憶されている各累計値を合計手段で合計するため、感光体に形成する画像の画素値の累計値の総和を求めることができる。
【００３６】
本発明においては、前記記憶部に記憶されている各累計値のうち、特定の累計値を合計手段で合計するため、例えば課金対象画像の画素値の累計値など、所要の種類の累計値の合計を求めることができる。
【００３７】
本発明においては、合成用画像を原稿画像に合成する合成手段を備えており、合成用画像及び原稿画像の各画素の画素値の累計を、合成用画像が原稿画像に合成される前に行うため、原稿画像及び合成用画像の画素値を別々に累計することができる。
【００３８】
本発明においては、第１加算手段が原稿画像の各画素の画素値を記憶部に記憶されており前記原稿画像に対応する累計値に加算し、第２加算手段が合成用画像の各画素の画素値を記憶部に記憶されており前記合成用画像に対応する累計値に加算するため、原稿画像及び合成用画像の各画素値を別々に並列的に累計することができる。
【００３９】
本発明においては、感光体に形成する画像は、予め記憶されている定型画像と、使用に際して入力される原稿画像とに種類分けされているため、原稿画像と定型画像とに対する画素値の累計値を別々に累計することができる。原稿画像は、イメージスキャナなどの読取画像、又は、コンピュータから受信したプリント画像などのユーザによって入力される画像であり、ユーザが画像形成を意図している。一方、定型画像は、調整などに使用される画像である場合が多く、ユーザが画像形成を意図していない場合が多い。
【発明の効果】
【００４０】
本発明によれば、各種類の画像の累計値を選択的に使用することができる。
【００４１】
本発明によれば、画像の種類別に画素値を累計することができる。
【００４２】
本発明によれば、画像の種類別にトナー消費量を算出することができる。
【００４３】
本発明によれば、原稿画像と合成用画像と調整用画像とに対する画素値の累計値を別々に累計することができる。
【００４４】
本発明によれば、処理が単純になり、累計処理のタイミング制御等が容易になる。
【００４５】
本発明によれば、感光体に形成する画像の画素値の累計値の総和を求めることができる。
【００４６】
本発明によれば、所要の種類の累計値の合計を求めることができる。
【００４７】
本発明によれば、原稿画像及び合成用画像の画素値を別々に累計することができる。
【００４８】
本発明によれば、原稿画像及び合成用画像の各画素値を別々に並列的に累計することができる。
【００４９】
本発明によれば、予め記憶されている定型画像と使用の際に入力される原稿画像とに対する画素値の累計値を別々に累計することができる。
【発明を実施するための最良の形態】
【００５０】
以下、本発明をその実施の形態を示す図面に基づいて具体的に説明する。
（実施の形態１）
図１は本発明に係る画像形成装置の構成例を示すブロック図である。画像形成装置は、ＣＣＤ（Charge Coupled Device）などを有する読取部２２と、読取部２２で読取った画像が例えば紙幣画像などの出力禁止画像であるか否かを判定する禁止判定部２４と、コンピュータなどの外部装置とデータ通信を行い、例えば外部装置から画像（画像データ）を受信する通信Ｉ／Ｆ（インターフェイス）２０と、濃度又は画像形成位置の調整用画像などのパターン画像を出力するパターン画像出力部１８と、読取部２２で読取った画像、通信Ｉ／Ｆ２０が受信した画像、又はパターン画像出力部１８が出力した画像の何れか１つを選択する選択部１６と、選択部１６で選択された画像に画像処理を行う画像処理部１４と、ＬＳＵ（Laser Scanning Unit）及び感光体などを有し、画像処理部１４で処理された画像をシートに形成する印字部２６と、画像処理部１４から印字部２６へ出力された画像の各画素の濃度（画素値）を累計する濃度累計部（累計部）１２と、制御プログラムが記憶されたＲＯＭ（Read Only Memory）及び一時的なデータを記憶するＲＡＭ（Random Access Memory）を有し、装置内の上述した各構成部の制御を行うＣＰＵ（Central Processing Unit）１０と、ＣＰＵ１０に接続され、液晶表示パネル及び操作キーなどを有する操作パネル２８とを備える。
【００５１】
ユーザが操作パネル２８のコピーボタンを押下した場合、ＣＰＵ１０の制御により、原稿の画像が読取部２２（ＣＣＤ）によって読取られ、画像処理部１４で処理される。画像処理部１４は、原稿画像を階調数に応じた画像データ（例えば１画素を２５６階調で表現する場合は８ビットの画像データ）に変換し、印字部２６へ送る。印字部２６は、ＬＳＵと図示しない感光体及び現像ユニットなどを備え、画像データに基づく画像をレーザ光にて感光体表面に形成し、感光体表面に形成した画像をシート上に現像する。
【００５２】
図２は濃度累計部１２の要部構成例を示すブロック図である。濃度累計部１２は、画像データが入力される複数のカウンタ（図の例では２つのカウンタＡ，Ｂ）と、ＣＰＵ１０から出力された信号ＳＬが入力される選択デコーダ３８とを備える。カウンタＡは、累計値Ａが記憶されるフラッシュメモリなどのメモリ（記憶部）３０ａと、メモリ３０ａに記憶されている累計値Ａに画像データの濃度（画素値）を加算する加算器（加算手段）３４ａと、メモリ３０ａに記憶されている累計値Ａ及び加算器３４ａの加算結果の何れか１つを選択する選択部（加算手段）３４ａとを備え、メモリ３０ａに記憶されている累計値Ａを選択部３２ａが選択した値で上書する。カウンタＢの構成はカウンタＡの構成と同様であり、カウンタＢは、カウンタＡと同様に、累計値Ｂを記憶するメモリ３０ｂと、加算器３４ｂと、選択部３２ｂとを備える。
【００５３】
カウンタＡの選択部３２ａ及びカウンタＢの選択部３２ｂには選択デコーダ３８が接続され、選択デコーダ３８から出力される信号ＳＬａ，ＳＬｂによって夫々選択部３２ａ，３２ｂの選択を制御する。本実施の形態においては、カウンタＡは読取部２２で読取った画像又は通信Ｉ／Ｆ２０で受信した画像（原稿画像）に対する濃度累計処理を行い、カウンタＢはパターン画像出力部１８が出力した画像（調整用画像）に対する濃度累計処理を行う。
【００５４】
よって、ＣＰＵ１０は、選択部１６に読取部２２又は通信Ｉ／Ｆ２０からの画像を選択（選択状態“００”）させた場合、信号ＳＬとして“００”を出力し、“００”の信号ＳＬを受信した選択デコーダ３８は、カウンタＡの選択部３２ａが加算器３４ａからの出力値（累計値Ａ＋画素値）を選択（選択状態“１”）するように信号ＳＬａとして“１”を出力すると共に、カウンタＢの選択部３２ｂがメモリ３０ｂからの出力値（累計値Ｂ）を選択（選択状態“０”）するように、信号ＳＬｂとして“０”を出力する。また、ＣＰＵ１０は、選択部１６にパターン画像出力部１８からの画像を選択（選択状態“０１”）させた場合、信号ＳＬとして“０１”を出力し、“０１”の信号ＳＬを受信した選択デコーダ３８は、カウンタＡの選択部３２ａがメモリ３０ａからの出力値（累計値Ａ）を選択（選択状態“０”）するように、信号ＳＬａとして“０”を出力すると共に、カウンタＢの選択部３２ｂが加算器３４ｂからの出力値（累計値Ｂ＋画素値）を選択（選択状態“１”）するように、信号ＳＬｂとして“１”を出力する。
【００５５】
図３は、画像データ（画素値）と累計値との関係を示す図である。信号ＳＬが“００”の場合は画像データの画素値（濃度）はカウンタＡで累計され、画素値が累計値Ａに加算され、信号ＳＬが“０１”の場合は画像データの画素値はカウンタＢで累計され、画素値が累計値Ｂに加算される。なお、図中の累計値Ａのｎ及び累計値Ｂのｍは整数であり、図３に示す濃度累計処理の開始前の累計値を表している。
【００５６】
図４（ａ）は濃度累計部１２の要部構成例を示すブロック図である。濃度累計部１２は、カウンタＡの累計値ＡとカウンタＢの累計値Ｂとを加算する加算器（合計手段）４２、及び、カウンタＡの累計値ＡとカウンタＢの累計値Ｂと加算器４２の加算値との何れか１つを選択する選択部４０を備え、選択部４０が選択した信号をＣＰＵ１０へ出力する。なお、選択部４０の選択は、ＣＰＵ１０によって制御される。なお、カウンタを３個以上用いている場合は、加算器で、全カウンタの累計を合計したり、特定のカウンタの累計値を合計することが可能である。図４（ｂ）は濃度累計部１２の他の要部構成例を示すブロック図である。図４（ｂ）の例では３個のカウンタ（カウンタＡ，Ｂ，Ｃ）を用いており、選択部（合計手段）４４、４６でカウンタＡ，Ｂ，Ｃの累計値Ａ，Ｂ，Ｃの何れか１つを夫々選択し、選択結果を加算器（合計手段）４２で加算する。なお、選択部４４、４６の選択はＣＰＵ１０によって制御される。
【００５７】
ここで、印字部２６が例えばＹ（イエロー），Ｍ（マゼンタ），Ｃ（シアン），ＢＫ（ブラック）の複数色の印字を行う場合は、図２、４に示したカウンタＡ，ＢをＣ，Ｍ，Ｙ，ＢＫの各色毎に設け、各色毎に濃度累計処理を行う。
【００５８】
読取部２２に原稿がセットされ、操作パネル２８で複写開始指示を受付けた場合、ＣＰＵ１０は、読取部２２を制御して原稿の画像を読取らせ、禁止判定部２４の判定結果が出力許可の場合は、選択部１６を制御して、読取部２２が読取った画像を選択（信号ＳＬ＝“００”）させる。禁止判定部２４の判定結果が出力禁止の場合は、パターン画像出力部１８を制御してパターン画像を出力させると共に、選択部１６を制御して、パターン画像出力部１８から出力された画像を選択（信号ＳＬ＝“０１”）させる。また、ＣＰＵ１０は、選択部１６で選択した画像を示す信号ＳＬを濃度累計部１２へ出力する。選択部１６で選択された画像は、画像出力部１４で処理が行われた後、印字部２６に送られてシートに形成されると共に、濃度累計部１２にも送られて、信号ＳＬに基づいた濃度累計処理が行われる。読取部２２が読取った画像（信号ＳＬ＝“００”）に対する濃度は濃度累計部１２のカウンタＡで累計され、パターン画像出力部１８から出力された画像（信号ＳＬ＝“０１”）に対する濃度は濃度累計部１２のカウンタＢで累計される。
【００５９】
通信Ｉ／Ｆ２０が外部装置から画像データ及び印字指示を受信した場合、ＣＰＵ１０は、選択部１６を制御して、通信Ｉ／Ｆ２０からの画像を選択（信号ＳＬ＝“００”）させる。また、ＣＰＵ１０は、選択部１６で選択した画像を示す信号ＳＬを濃度累計部１２へ出力する。選択部１６で選択された画像は、画像出力部１４で処理が行われた後、印字部２６に送られてシートに形成されると共に、濃度累計部１２にも送られて、信号ＳＬに基づいた濃度累計処理が行われる。通信Ｉ／Ｆ２０で受信した画像（信号ＳＬ＝“００”）に対する濃度は濃度累計部１２のカウンタＡで累計される。
【００６０】
メンテナンス時に操作パネル２８で画像形成位置の調整指示を受付けた場合、又は、自動メンテナンス処理などによって画像形成位置の調整を行う場合、ＣＰＵ１０は、パターン画像出力部１８にパターン画像を出力させると共に、選択部１６を制御して、パターン画像出力部からの画像を選択（信号ＳＬ＝“０１”）させる。また、ＣＰＵ１０は、選択部１６で選択した画像を示す信号ＳＬを濃度累計部１２へ出力する。選択部１６で選択された画像は、画像出力部１４で処理が行われた後、印字部２６に送られ、図示しない感光体表面に画像を形成して画像形成位置の調整処理（ただし、シートへの画像形成は行わない）が行われると共に、濃度累計部１２にも送られて、信号ＳＬに基づいた濃度累計処理が行われる。パターン画像出力部１８から出力された画像（信号ＳＬ＝“０１”）に対する濃度は濃度累計部１２のカウンタＢで累計される。
【００６１】
ＣＰＵ（算出手段）１０は、例えば濃度累計部１２からカウンタＡの累計値Ａ読み出して、読み出した累計値Ａに基づいてトナー消費量を算出し、算出したトナー消費量に基づいて例えば課金処理を行う。累計値Ａは、画像形成位置の調整マークなどのユーザが意図していないパターン画像（調整用画像）に関する累計値Ｂは含まれておらず、ユーザが意図している通常の読取画像又はプリント画像（原稿画像）に関する累計値である。
【００６２】
濃度累計部１２の複数のカウンタの構成は図２の構成に限定はされず、任意の構成にすることが可能である。図５（ａ）、（ｂ）は濃度累計部１２の他の要部構成例を示すブロック図である。図５（ａ）の例では、図２のカウンタＡの選択部３２ａの累計値Ａが入力される部分に加算器（加算手段）３６ａを追加し、累計値Ａにゼロを加算して選択部３２ａへ出力している。ゼロを加算する加算器３６ａを追加することにより、選択部３２ａへの２つの入力に対して共に加算処理を行っているため、累計処理のタイミングを合わせ易くなる。
【００６３】
図５（ｂ）の例では、図２のカウンタＡから選択部３２ａを取除き、ＣＰＵ（上書制御手段）１０からの信号ＳＬに基づいて選択デコーダ３８から出力される信号ＳＬａを、メモリ３１ａのライトイネーブル端子に入力している。例えば信号ＳＬａが“１”の場合は上書可で、信号ＳＬａが“０”の場合は上書不可である。加算器３４ａからメモリ３１ａには、累計値Ａと画素値との加算値が常に出力されているが、信号ＳＬが例えば“１”（上書可）の場合のみメモリ３１ａの累計値Ａが加算値に上書される。なお、図５（ａ）、（ｂ）では、カウンタＡを例にして説明を行ったが、カウンタＢについても同様である。
【００６４】
また、濃度累計部１２に複数のカウンタを設けずに、１つのカウンタで複数の累計値を記憶することも可能である。図６は濃度累計部１２の他の要部構成例を示すブロック図である。図６の濃度累計部は、１つのカウンタと、選択デコーダ３８と、アドレスデコーダ３９とを備える。カウンタの構成は、図２のカウンタＡ，Ｂの構成とほぼ同様であり、メモリ３０、選択部３２、及び加算器３４を備える。ただし、メモリ３０には、累計値Ａ及び累計値Ｂが記憶されている。アドレスデコーダ３９は、信号ＳＬに基づいて、メモリの記憶アドレスを指定する。例えば信号ＳＬが“００”の場合は累計値Ａの記憶アドレスを指定し、信号ＳＬが“０１”の場合は累計値Ｂの記憶アドレスを指定する。よって、信号ＳＬに基づいてアドレスデコーダ３９が指定した累計値が、該累計値と画素値との加算値に更新される。
【００６５】
上述した実施の形態においては、２つの累計値Ａ，Ｂを例にして説明したが、任意数の累計値に分けて累計処理を行うことが可能である。例えば、読取画像及びプリント画像をまとめて累計値Ａで累計せずに、読取画像を累計値Ａ１、プリント画像を累計値Ａ２に分けて累計することも可能である。同様に、画像形成位置の調整パターン及び濃度の調整パターンなどをまとめて累計値Ｂとせず、画像形成位置の調整パターンを累計値Ｂ１，濃度の調整パターンを累計値Ｂ２に分けて累計することも可能である。
【００６６】
（実施の形態２）
上述した実施の形態においては、読取画像又はプリント画像などの原稿画像と、濃度又は画像形成位置の調整用画像とに対して別々に濃度累計処理を行う場合について説明したが、読取画像又はプリント画像には、例えば偽造防止用画像又は印刷装置を特定するための識別用画像などが合成される場合もある。このような合成を行う場合は、読取画像又はプリント画像などの合成前画像（原稿画像）と、偽造防止用画像又は識別用画像などの合成用画像との濃度累計処理を、合成が行われる前に行う。
【００６７】
図７は本発明に係る画像形成装置の他の構成例を示すブロック図である。画像形成装置の構成は、実施の形態１（図１）とほぼ同様である。ただし、画像処理部１４は、画像処理として、原稿画像に合成用画像を合成する合成処理を行う。濃度累計部１２は、合成用画像の濃度累計処理と合成前画像の濃度累計処理とを行う。図８は、画像処理部１４の構成例を示すブロック図である。画像処理部１４は、合成用画像を出力する合成用画像出力部５０、及び、合成用画像出力部５０が出力する合成用画像の各画素と読取部２２で読取った又は通信Ｉ／Ｆ２０で受信した原稿画像（合成前画像）の各画素とを加算して画像を合成する加算部（合成手段）５２を備える。加算部５２から印字部２６（ＬＳＵ）へは合成後画像が出力される。
【００６８】
濃度累計部１２は、２つのカウンタ（カウンタＡ及びカウンタＢ）を備える。図９は、濃度累計部１２の構成例を示すブロック図である。濃度累計部１２の構成は実施の形態（図２）とほぼ同様であるが、カウンタＡには加算部５２に入力される前の合成前画像が入力され、カウンタＢには加算部５２に入力される前の合成用画像が入力される。カウンタＡの加算器３４ａ及び選択部３２ａは、合成前画像（原稿画像）の各画素の画素値をメモリ３０ａに記憶されている累計値Ａに加算する第１加算手段として動作し、カウンタＢの加算器３４ｂ及び選択部３２ｂは、合成用画像の各画素の画素値をメモリ３０ｂに記憶されている累計値Ｂに加算する第２加算手段として動作する。
【００６９】
図１０は、画像データ（画素値）と累計値との関係を示す図である。合成前画像（原稿画像）の画素値（濃度）はカウンタＡで累計され、合成用画像の画素値はカウンタＢで累計される。なお、図中の累計値Ａのｎ及び累計値Ｂのｍは整数であり、図１０に示す濃度累計処理の開始前の累計値を表している。また、合成後画像の画素値は、合成前画像の画素値と合成用画像の画素値とを加算した値となる。なお、上述した実施の形態１及び２を組合わせることも可能である。
【図面の簡単な説明】
【００７０】
【図１】本発明に係る画像形成装置の構成例を示すブロック図である。
【図２】濃度累計部の要部構成例を示すブロック図である。
【図３】画像データと累計値との関係を示す図である。
【図４】（ａ）は濃度累計部の要部構成例を示すブロック図であり、（ｂ）は濃度累計部の他の要部構成例を示すブロック図である。
【図５】濃度累計部の他の要部構成例を示すブロック図である。
【図６】濃度累計部の他の要部構成例を示すブロック図である。
【図７】本発明に係る画像形成装置の他の構成例を示すブロック図である。
【図８】画像処理部の構成例を示すブロック図である。
【図９】濃度累計部の構成例を示すブロック図である。
【図１０】画像データと累計値との関係を示す図である。
【図１１】（ａ）は感光体に形成する画像の各画素の画素値を累計する従来のカウンタの例を示すブロック図であり、（ｂ）は画像データと累計値との関係を示す図である。
【符号の説明】
【００７１】
１０  ＣＰＵ
１２  濃度累計部
１４  画像処理部
１６  選択部
１８  パターン画像出力部
２０  通信Ｉ／Ｆ
２２  読取部
２４  禁止判定部
２６  印字部
２８  操作パネル
３０  メモリ
３２  選択部
３４  加算器
５０  合成用画像出力部
５２  加算部
【図１】
2006337586.tif 000003
【図２】
2006337586.tif 000004
【図３】
2006337586.tif 000005
【図４】
2006337586.tif 000006
【図５】
2006337586.tif 000007
【図６】
2006337586.tif 000008
【図７】
2006337586.tif 000009
【図８】
2006337586.tif 000010
【図９】
2006337586.tif 000011
【図１０】
2006337586.tif 000012
【図１１】
2006337586.tif 000013